(57)【要約】【課題】受信したデジタルコンテンツをホームネットワーク機器により確実かつ即座に利用できる環境を提供すること。【解決手段】コンテンツ受信装置１０４のコンテンツ転送管理部１０４ｂが、電話番号を用いて確立された通信経路を介してデジタルコンテンツを受信し、受信したデジタルコンテンツは未参照である状態を未参照コンテンツリストに登録し、受信通知部１０４ｃが、その未参照コンテンツリストに基づいて、ホームネットワーク機器１０５に対して未参照デジタルコンテンツの存在を通知する。【選択図】図４
2011123534.tif 000002
【特許請求の範囲】
【請求項１】
電話番号を用いて確立された通信経路を介してデジタルコンテンツを受信し、当該デジタルコンテンツを蓄積手段に蓄積させ、前記デジタルコンテンツは未参照である状態を未参照コンテンツリストに登録する登録手段と、
前記未参照コンテンツリストに基づいて、前記蓄積手段に蓄積された前記デジタルコンテンツを参照可能なホームネットワーク機器に対して未参照デジタルコンテンツの存在を通知する通知手段と、
前記ホームネットワーク機器が前記未参照デジタルコンテンツを参照したことを監視し、参照されたデジタルコンテンツに対する前記未参照コンテンツリストの状態を更新する更新手段と、
を有することを特徴とするコンテンツ受信装置。
【請求項２】
前記更新手段は、
前記ホームネットワーク機器により前記未参照デジタルコンテンツが参照されたことをコンテンツ送信装置に通知することを特徴とする請求項１に記載のコンテンツ受信装置。
【請求項３】
前記通知手段は、
前記未参照デジタルコンテンツが参照されるまで前記未参照デジタルコンテンツの存在を繰り返し通知することを特徴とする請求項１又は２に記載のコンテンツ受信装置。
【請求項４】
コンピュータにより、
電話番号を用いて確立された通信経路を介してデジタルコンテンツを受信し、当該デジタルコンテンツを蓄積手段に蓄積させ、前記デジタルコンテンツは未参照である状態を未参照コンテンツリストに登録するステップと、
前記未参照コンテンツリストに基づいて、前記蓄積手段に蓄積された前記デジタルコンテンツを参照可能なホームネットワーク機器に対して未参照デジタルコンテンツの存在を通知するステップと、
前記ホームネットワーク機器が前記未参照デジタルコンテンツを参照したことを監視し、参照されたデジタルコンテンツに対する前記未参照コンテンツリストの状態を更新するステップと、
を有することを特徴とするコンテンツ受信方法。
【請求項５】
コンピュータに、
電話番号を用いて確立された通信経路を介してデジタルコンテンツを受信し、当該デジタルコンテンツを蓄積手段に蓄積させ、前記デジタルコンテンツは未参照である状態を未参照コンテンツリストに登録する手順と、
前記未参照コンテンツリストに基づいて、前記蓄積手段に蓄積された前記デジタルコンテンツを参照可能なホームネットワーク機器に対して未参照デジタルコンテンツの存在を通知する手順と、
前記ホームネットワーク機器が前記未参照デジタルコンテンツを参照したことを監視し、参照されたデジタルコンテンツに対する前記未参照コンテンツリストの状態を更新する手順と、
を実行させることを特徴とするコンテンツ受信プログラム。
【発明の詳細な説明】
【技術分野】
【０００１】
本発明は、デジタルコンテンツを受信してホームネットワーク機器に転送する技術に関する。
【背景技術】
【０００２】
従来より、文書・写真・データ等のデジタルコンテンツを送受信する方法の一つに、公衆交換電話網で行われてきたＦＡＸの信号を音声データとみなして通信を行うみなし通信方式が存在する。
【０００３】
また、上記みなし通信方式を応用し、ＳＩＰ（Session Initiation Protocol）の呼制御を利用してデジタルコンテンツを送受信する方法も存在し、その場合には、所定の通信ネットワークを介してコンテンツ送信装置から電話番号発信を行うことにより呼接続を確立し、ホームネットワークにおいて窓口的役割を担うコンテンツ受信装置に電気的に接続して、デジタルコンテンツを送信する。なお、このような従来技術については特許文献１に開示されている。
【先行技術文献】
【特許文献】
【０００４】
【特許文献１】特開２００４−３２６５７２号公報
【発明の概要】
【発明が解決しようとする課題】
【０００５】
しかしながら、従来のコンテンツ受信装置は、受信したデジタルコンテンツを蓄積し、ホームネットワークに接続されたホームネットワーク機器からの能動的な参照要求や閲覧要求を受けてデジタルコンテンツを提供するため、換言すれば、主体的にデジタルコンテンツをホームネットワーク機器に提供しないため、ホームネットワーク機器が能動的にコンテンツ受信装置に保存されたデジタルコンテンツの有無を確認しなければならず、タイミングによっては既に受信しているデジタルコンテンツをホームネットワーク機器の利用者が見落としてしまうという問題があった。
【０００６】
また、家電、モバイル、パーソナルコンピュータにおいて異メーカー間の機器の相互接続を容易にするために開発されたＤＬＮＡ（Digital Living Network Alliance）等の技術を利用すれば、ホームネットワーク機器からコンテンツ受信装置に保存されているデジタルコンテンツを参照できるが、ホームネットワーク機器の利用者が意識しなければ未参照のままデジタルコンテンツが放置されてしまうという問題もあった。
【０００７】
さらに、受信したデジタルコンテンツを参照したか否かについてをコンテンツ受信装置で管理していないため、未参照デジタルコンテンツの存在をホームネットワーク機器に対して通知できないという問題や、参照有無の結果をコンテンツ送信装置に通知できないという問題もあった。
【０００８】
本発明は、上記課題を鑑みてなされたものであり、受信したデジタルコンテンツをホームネットワーク機器により確実かつ即座に利用できる環境を提供することを課題とする。
【課題を解決するための手段】
【０００９】
請求項１に記載の本発明は、電話番号を用いて確立された通信経路を介してデジタルコンテンツを受信し、当該デジタルコンテンツを蓄積手段に蓄積させ、前記デジタルコンテンツは未参照である状態を未参照コンテンツリストに登録する登録手段と、前記未参照コンテンツリストに基づいて、前記蓄積手段に蓄積された前記デジタルコンテンツを参照可能なホームネットワーク機器に対して未参照デジタルコンテンツの存在を通知する通知手段と、前記ホームネットワーク機器が前記未参照デジタルコンテンツを参照したことを監視し、参照されたデジタルコンテンツに対する前記未参照コンテンツリストの状態を更新する更新手段と、を有することを特徴とする。
【００１０】
本発明によれば、電話番号を用いて確立された通信経路を介してデジタルコンテンツを受信し、受信したデジタルコンテンツは未参照である状態を未参照コンテンツリストに登録し、その未参照コンテンツリストに基づいて、ホームネットワーク機器に対して未参照デジタルコンテンツの存在を通知するため、受信したデジタルコンテンツをホームネットワーク機器により確実かつ即座に利用できる環境を提供することができる。
【００１１】
請求項２に記載の本発明は、前記更新手段が、前記ホームネットワーク機器により前記未参照デジタルコンテンツが参照されたことをコンテンツ送信装置に通知することを特徴とする。
【００１２】
本発明によれば、ホームネットワーク機器により未参照デジタルコンテンツが参照されたことをコンテンツ送信装置に通知するため、コンテンツの送信元であるコンテンツ送信装置による閲覧確認を把握することができる。
【００１３】
請求項３に記載の本発明は、前記通知手段が、前記未参照デジタルコンテンツが参照されるまで前記未参照デジタルコンテンツの存在を繰り返し通知することを特徴とする。
【００１４】
請求項４に記載の本発明は、コンピュータにより、電話番号を用いて確立された通信経路を介してデジタルコンテンツを受信し、当該デジタルコンテンツを蓄積手段に蓄積させ、前記デジタルコンテンツは未参照である状態を未参照コンテンツリストに登録するステップと、前記未参照コンテンツリストに基づいて、前記蓄積手段に蓄積された前記デジタルコンテンツを参照可能なホームネットワーク機器に対して未参照デジタルコンテンツの存在を通知するステップと、前記ホームネットワーク機器が前記未参照デジタルコンテンツを参照したことを監視し、参照されたデジタルコンテンツに対する前記未参照コンテンツリストの状態を更新するステップと、を有することを特徴とする。
【００１５】
請求項５に記載の本発明は、コンピュータに、電話番号を用いて確立された通信経路を介してデジタルコンテンツを受信し、当該デジタルコンテンツを蓄積手段に蓄積させ、前記デジタルコンテンツは未参照である状態を未参照コンテンツリストに登録する手順と、前記未参照コンテンツリストに基づいて、前記蓄積手段に蓄積された前記デジタルコンテンツを参照可能なホームネットワーク機器に対して未参照デジタルコンテンツの存在を通知する手順と、前記ホームネットワーク機器が前記未参照デジタルコンテンツを参照したことを監視し、参照されたデジタルコンテンツに対する前記未参照コンテンツリストの状態を更新する手順と、を実行させることを特徴とする。
【発明の効果】
【００１６】
本発明によれば、受信したデジタルコンテンツをホームネットワーク機器により確実かつ即座に利用できる環境を提供することができる。
【図面の簡単な説明】
【００１７】
【図１】コンテンツ転送システムの全体構成を示す図である。
【図２】コンテンツ受信装置の機能構成ブロックを示す図である。
【図３】未参照コンテンツリストの一例を示す図である。
【図４】コンテンツ転送システムにおける全体の処理フローを示す図である。
【図５】コンテンツ受信装置の処理フローを示す図である。
【発明を実施するための形態】
【００１８】
以下、本発明を実施する一実施の形態について図面を用いて説明する。
【００１９】
最初に、本実施の形態に係るコンテンツ転送システム全体について説明した後に、そのシステム内で動作するコンテンツ受信装置の特徴について詳細に説明する。なお、本発明は、コンテンツ受信装置において、デジタルコンテンツの受信と参照の有無についての状態を管理する仕組みを構築し、その状態管理の変化に応じてホームネットワーク機器に通知することや、コンテンツ送信装置に閲覧確認通知を行うことを特徴とするものである。
【００２０】
図１は、コンテンツ転送システムの全体構成を示す図である。本コンテンツ転送システムは、デジタルコンテンツを送信するコンテンツ送信装置１０１と、コンテンツ送信装置１０１とホームネットワーク１０３とを電気的に接続するＩＰネットワーク１０２と、デジタルコンテンツの送信先である企業や住宅等のホームネットワーク１０３とで構成されている。
【００２１】
コンテンツ送信装置１０１は、デジタルコンテンツの入力を受付けて蓄積部に蓄積させる入力機能と、送信するデジタルコンテンツを選択する選択機能と、電話番号の入力により発呼する発呼機能と、呼の接続が完了した後にデジタルコンテンツを送信する送信機能とを有している。
【００２２】
ＩＰネットワーク１０２は、コンテンツ送信装置１０１からの発呼を受けて該コンテンツ送信装置１０１をコンテンツ受信装置１０４に接続させる機能を有し、ＳＩＰを利用して呼設定を実施するＳＩＰサーバ機能を有している。
【００２３】
ホームネットワーク１０３は、コンテンツ受信装置１０４と複数のホームネットワーク機器１０５とで構成されている。
【００２４】
コンテンツ受信装置１０４は、ＩＰネットワーク１０２を介して送信されたデジタルコンテンツを受信する機能を有し、その他、ボタン電話機の機能や、紙媒体のコンテンツ（原稿等）を読み取るスキャナ機能、受信したデジタルコンテンツを印刷する機能等を有している。例えば、プリンタやデジタルフォトフレームを一例に挙げることができる。
【００２５】
ホームネットワーク機器１０５は、ＩＰでつながるデジタル家電と呼ばれるものであり、コンテンツ受信装置１０４と同一セグメント上に存在し、コンテンツ受信装置１０４に保存・蓄積されたデジタルコンテンツを参照する機能を有している。
【００２６】
続いて、本発明の特徴的動作を行うコンテンツ受信装置１０４について説明する。図２は、コンテンツ受信装置の機能構成ブロックを示す図である。本コンテンツ受信装置１０４は、ＳＩＰスタック部１０４ａと、コンテンツ転送管理部１０４ｂと、受信通知部１０４ｃと、参照確認部１０４ｄと、コンテンツ蓄積部１０４ｅとで構成されている。
【００２７】
ＳＩＰスタック部１０４ａは、電話番号を利用してデジタルコンテンツの送受信を行うための呼設定機能を有している。具体的には、要求された発呼に対して応答する着呼を行う機能、ＳＩＰ（ＲＦＣ（Request for comments）３２６１）を用いたセッション確立を行う機能、能力確認を行う機能を有する。なお、能力確認の際、ＳＤＰ（ＲＦＣ４５６６）に従った記述形式にてセッション確立に必要な情報のやり取りを実施する。
【００２８】
コンテンツ転送管理部１０４ｂは、コンテンツ送信装置１０１との間で電話番号を用いて確立されたＩＰネットワーク１０２上の通信経路を介して送信されたデジタルコンテンツを受信する機能、受信したデジタルコンテンツをコンテンツ蓄積部１０４ｅに蓄積させる機能、そのデジタルコンテンツは未参照である状態をコンテンツ蓄積部１０４ｅに保存されている未参照コンテンツリストに登録する機能を有している。
【００２９】
受信通知部１０４ｃは、コンテンツ蓄積部１０４ｅに保存されている未参照コンテンツリストを把握し、新たなデジタルコンテンツが未参照コンテンツリストに追加（受信したデジタルコンテンツが未参照である状態が未参照コンテンツリストに登録）されている場合に、未参照デジタルコンテンツの存在を参照確認部１０４ｄやホームネットワーク機器１０５に対して通知する機能や、未参照コンテンツリストを一定時間間隔で繰り返し参照し、未参照デジタルコンテンツが参照されるまで未参照デジタルコンテンツの存在を繰り返し通知する機能（再通知機能）を有している。
【００３０】
参照確認部１０４ｄは、ホームネットワーク機器１０５が未参照デジタルコンテンツを参照したことを監視し、未参照コンテンツリストの状態を更新する機能を有している。なお、ここでいう状態の更新とは、未参照コンテンツリストから参照されたデジタルコンテンツ名等を削除することや、コンテンツ名に対する参照フラグを「０（未参照）」から「１（既参照）」に変更することをいう。また、参照確認部１０４ｄは、ホームネットワーク機器１０５が未参照デジタルコンテンツを参照した場合に、閲覧確認通知をコンテンツ送信装置１０１に送信する機能も有している。なお、受信通知部１０４ｃから未参照デジタルコンテンツの存在が通知された場合には、コンテンツ転送管理部１０４ｂに代えて、参照確認部１０４ｄが、受信したデジタルコンテンツは未参照である状態を未参照コンテンツリストに登録するようにしてもよい。
【００３１】
コンテンツ蓄積部１０４ｅは、各ホームネットワーク機器１０５で取り扱い可能なデジタルコンテンツを読出可能に蓄積しておく機能や、蓄積されているデジタルコンテンツの参照の有無をデジタルコンテンツの識別情報に関連付けて管理しておく未参照コンテンツリストを読出可能に保存しておく機能を備えている。図３は、未参照コンテンツリストの一例を示す図である。受信したデジタルコンテンツを識別するコンテンツＩＤ（ContentsID）とコンテンツ名（ContentsName）とで管理され、参照の有無を示す参照フラグ（Reference）が対応付けられた状態で管理されている。これにより、例えば、「Ｐｈｏｔｏ１．ｊｐｇ」のデジタルコンテンツについては、参照フラグが「０」であるため、ホームネットワーク機器１０５により未だ参照されておらず、「ａｌｂｕｍＡ．ｗａｖ」のデジタルコンテンツについては、参照フラグが「１」であるため、ホームネットワーク機器１０５により既に参照されていることを把握することが可能となる。
【００３２】
続いて、コンテンツ転送システムにおける全体の処理フローについて説明する。図４は、コンテンツ転送システムにおける全体の処理フローを示す図である。最初に、コンテンツ送信装置１０１が、送信対象となるデジタルコンテンツを選択し、コンテンツ受信装置１０４にダイヤルする（Ｓ１）。
【００３３】
次いで、コンテンツ送信装置１０１は、コンテンツ受信装置１０４に発呼し、その発呼に対して該コンテンツ受信装置１０４から応答を受信し、そのコンテンツ受信装置１０４とＴＣＰセッションを確立した後に、上記送信対象のデジタルコンテンツを利用・使用する能力があるか否かの能力確認要求を送信する（Ｓ２）。
【００３４】
次いで、コンテンツ送信装置１０１は、上記能力確認要求に対する能力確認応答で利用・使用する能力を有することが示されている場合に、上記デジタルコンテンツを送信する（Ｓ３）。
【００３５】
次いで、コンテンツ受信装置１０４は、ＩＰネットワーク１０２を介してコンテンツ送信装置１０１から送信されたデジタルコンテンツを受信・保存し、ホームネットワーク上のホームネットワーク機器１０５に対してデジタルコンテンツを受信したことを通知する（Ｓ４）。
【００３６】
最後に、ホームネットワーク機器１０５は、コンテンツ受信装置１０４からデジタルコンテンツを受信した通知を契機に、そのデジタルコンテンツを参照し、利用する（Ｓ５）。
【００３７】
続いて、コンテンツ受信装置１０４の処理フローについて説明する。図５は、コンテンツ受信装置の処理フローを示す図である。最初に、コンテンツ転送管理部１０４ｂが、コンテンツ送信装置１０１から送信されたデジタルコンテンツを受信して、コンテンツ蓄積部１０４ｅに蓄積し、受信したデジタルコンテンツは未参照であることを未参照コンテンツリストに登録する（Ｓ１０１）。
【００３８】
一方、受信通知部１０４ｃは、一定の時間間隔で随時、コンテンツ蓄積部１０４ｅに保存されている未参照コンテンツリストを参照する（Ｓ１０２）。
【００３９】
そして、受信通知部１０４ｃは、未参照コンテンツリストを参照した結果、未参照デジタルコンテンツが含まれている場合に、未参照デジタルコンテンツから所定の情報（デジタルコンテンツのタイトル、種類、容量等）を抽出し、その情報をパラメータとして受信通知電文を生成し、ホームネットワーク上のホームネットワーク機器１０５に対して未参照デジタルコンテンツの存在を通知する（Ｓ１０３）。
【００４０】
一方、受信通知部１０４ｃは、未参照コンテンツリストを参照した結果、未参照デジタルコンテンツが含まれていない場合には、処理を終了する（Ｓ１０４）。なお、処理を終了するのに代えて、Ｓ１０４’に示すようにＳ１０２の処理に戻り、未参照デジタルコンテンツが参照されるまでＳ１０３の処理（再通知）を繰り返すことも可能である。
【００４１】
また、参照確認部１０４ｄは、ホームネットワーク機器１０５から送信された未参照デジタルコンテンツの参照要求を随時監視（Ｓ１０５）し、上記受信通知電文に基づいて該参照要求が行われた場合に、未参照コンテンツリストを参照し、参照要求のあったデジタルコンテンツと未参照コンテンツリストとの比較を行い、要求されたデジタルコンテンツは初めて参照要求されたものか否かを判定する（Ｓ１０６）。
【００４２】
具体的には、参照要求されたデジタルコンテンツが未参照コンテンツリストに含まれているか否かを確認し、含まれている場合には、そのデジタルコンテンツに対する参照フラグを把握して、参照フラグが「０」の場合に、初めて参照要求されたものと判定する。また、未参照コンテンツリストが、未参照デジタルコンテンツのＩＤや名称のみで管理されている場合には、参照要求されたデジタルコンテンツが未参照コンテンツリストに含まれていることが確認された段階で、初めて参照要求されたものと判定する。
【００４３】
そして、参照確認部１０４ｄは、参照要求されたデジタルコンテンツが初めて参照要求されたものである場合に、未参照コンテンツリストを更新する（Ｓ１０７）。具体的には、そのデジタルコンテンツに対する参照フラグを「０」から「１」に変更する処理や、そのデジタルコンテンツに関する記載を全て削除する処理を行う。
【００４４】
最後に、参照確認部１０４ｄは、受信したデジタルコンテンツがホームネットワーク機器１０５により参照されたことを示す閲覧確認通知をコンテンツ送信装置１０１に送信する（Ｓ１０８）。
【００４５】
なお、参照確認部１０４ｄは、Ｓ１０６で参照要求されたデジタルコンテンツが初めて参照要求されたものでない場合、処理を終了する（Ｓ１０９）。処理を終了するのに代えて、Ｓ１０５の処理に戻り、ホームネットワーク機器１０５からの未参照デジタルコンテンツの参照要求を随時監視することを継続させることも可能である。
【００４６】
本実施の形態によれば、コンテンツ受信装置１０４のコンテンツ転送管理部１０４ｂが、電話番号を用いて確立された通信経路を介してデジタルコンテンツを受信し、受信したデジタルコンテンツは未参照である状態を未参照コンテンツリストに登録し、受信通知部１０４ｃが、その未参照コンテンツリストに基づいて、ホームネットワーク機器１０５に対して未参照デジタルコンテンツの存在を通知するので、コンテンツ受信装置１０４に確認しなくても受信したデジタルコンテンツの状態をホームネットワーク機器１０５がタイムリーに把握することができ、受信したデジタルコンテンツをホームネットワーク機器１０５により確実かつ即座に利用できる環境を提供することができる。
【００４７】
本実施の形態によれば、デジタルコンテンツの参照の有無に応じて未参照コンテンツリストが生成され、その未参照コンテンツリストに基づいて未参照デジタルコンテンツの存在を通知するので、未参照デジタルコンテンツが長期に渡り未参照のまま保存されることを防止することができる。
【００４８】
本実施の形態によれば、ホームネットワーク機器１０５により未参照デジタルコンテンツが参照されたことをコンテンツ送信装置１０１に通知するため、コンテンツの送信元であるコンテンツ送信装置１０１により閲覧確認を行うことができる。
【００４９】
最後に、以上のようなコンテンツ受信装置１０４は、ＣＰＵ等の演算処理装置やメモリ等の記憶装置を備えたコンピュータにより構成可能なものであり、各部の処理はプログラムによって実行される。また、このプログラムは記憶装置に記憶されており、記録媒体に記録することも、通信ネットワークを通して提供することも可能であるをこと付言しておく。
【符号の説明】
【００５０】
１０１…コンテンツ送信装置
１０２…ＩＰネットワーク
１０３…ホームネットワーク
１０４…コンテンツ受信装置
１０４ａ…ＳＩＰスタック部
１０４ｂ…コンテンツ転送管理部
１０４ｃ…受信通知部
１０４ｄ…参照確認部
１０４ｅ…コンテンツ蓄積部
１０５…ホームネットワーク機器
Ｓ１〜Ｓ５、Ｓ１０１〜Ｓ１０９…ステップ
【図１】
2011123534.tif 000003
【図２】
2011123534.tif 000004
【図３】
2011123534.tif 000005
【図４】
2011123534.tif 000006
【図５】
2011123534.tif 000007